(57)【特許請求の範囲】
【請求項１】
送信データを誤り訂正符号化する符号化手段と、
誤り訂正符号化された送信データを所定の方式で変調して変調信号を生成する変調手段と、
生成した変調信号からモジュレーションダイバーシチ変調信号を生成するモジュレーションダイバーシチ変調手段と、
前記変調信号又は前記モジュレーションダイバーシチ変調信号のいずれか一方から送信信号を生成し、生成した送信信号を無線送信する送信手段と、
無線送信された前記送信信号の伝搬路環境に応じて、前記送信手段において前記送信信号が前記変調信号又は前記モジュレーションダイバーシチ変調信号のどちらから生成されるか決定する決定手段と、
を具備する無線通信装置。
【請求項２】
前記決定手段は、無線送信された前記送信信号の伝搬路環境に応じて、前記変調手段において前記送信データを変調する変調方式と、前記送信手段において前記送信信号が前記変調信号又は前記モジュレーションダイバーシチ変調信号のどちらから生成されるかと、を決定する、
請求項１記載の無線通信装置。
【請求項３】
前記決定手段は、
前記送信信号についての受信品質が第１閾値未満のときには、前記変調手段において前記送信データがＢＰＳＫで変調され、かつ、前記送信手段において前記送信信号が前記モジュレーションダイバーシチ変調信号から生成されることを決定する、
請求項２記載の無線通信装置。
【請求項４】
前記決定手段は、
前記送信信号についての受信品質が第１閾値未満のときには、前記変調手段において前記送信データがＢＰＳＫで変調され、かつ、前記送信手段において前記送信信号が前記モジュレーションダイバーシチ変調信号から生成されることを決定し、
前記送信信号についての受信品質が第１閾値以上第２閾値未満のときには、前記変調手段において前記送信データがＱＰＳＫで変調され、かつ、前記送信手段において前記送信信号が前記変調信号から生成されることを決定し、
前記送信信号についての受信品質が第２閾値以上第３閾値未満のときには、前記変調手段において前記送信データがＱＰＳＫで変調され、かつ、前記送信手段において前記送信信号が前記モジュレーションダイバーシチ変調信号から生成されることを決定する、
請求項２記載の無線通信装置。
【請求項５】
前記決定手段は、
前記送信信号についての受信品質が第１閾値未満のときには、前記変調手段において前記送信データがＢＰＳＫで変調され、かつ、前記送信手段において前記送信信号が前記モジュレーションダイバーシチ変調信号から生成されることを決定し、
前記送信信号についての受信品質が第１閾値以上第２閾値未満のときには、前記変調手段において前記送信データがＱＰＳＫで変調され、かつ、前記送信手段において前記送信信号が前記変調信号から生成されることを決定し、
前記送信信号についての受信品質が第２閾値以上第３閾値未満のときには、前記変調手段において前記送信データがＱＰＳＫで変調され、かつ、前記送信手段において前記送信信号が前記モジュレーションダイバーシチ変調信号から生成されることを決定し、
前記送信信号についての受信品質が第３閾値以上第４閾値未満のときには、前記変調手段において前記送信データが１６ＱＡＭで変調され、かつ、前記送信手段において前記
送信信号が前記変調信号から生成されることを決定し、
前記送信信号についての受信品質が第４閾値以上のときには、前記変調手段において前記送信データが１６ＱＡＭで変調され、かつ、前記送信手段において前記送信信号が前記モジュレーションダイバーシチ変調信号から生成されることを決定する、
請求項２記載の無線通信装置。
【請求項６】
無線送信された前記送信信号を受信した他の無線通信装置によって測定された前記送信信号についての受信品質と受信電力の変動情報とを含む無線信号を受信する受信手段、をさらに具備し、
前記決定手段は、
受信された前記送信信号についての受信電力の変動情報に基づいて、前記受信電力の変動を監視し、
前記受信電力の変動が大きくなったときには、前記第２閾値を高くし、一方で前記受信電力の変動が小さくなったときには、前記第２閾値を低くする、
請求項４記載の無線通信装置。
【請求項７】
請求項１記載の無線通信装置を具備する通信端末装置。
【請求項８】
請求項１記載の無線通信装置を具備する基地局装置。
【請求項９】
送信データを誤り訂正符号化する符号化ステップと、
誤り訂正符号化された送信データを所定の方式で変調して変調信号を生成する変調ステップと、
生成した変調信号からモジュレーションダイバーシチ変調信号を生成するモジュレーションダイバーシチ変調ステップと、
前記変調信号又は前記モジュレーションダイバーシチ変調信号のいずれか一方から送信信号を生成し、生成した送信信号を無線送信する送信ステップと、
無線送信された前記送信信号の伝搬路環境に応じて、前記送信ステップにおいて前記送信信号が前記変調信号又は前記モジュレーションダイバーシチ変調信号のどちらから生成されるか決定する決定ステップと、
を具備する無線通信方法。
【発明の詳細な説明】
【技術分野】
【０００１】
本発明は、送信データをモジュレーションダイバーシチ変調する無線通信装置及び無線通信方法に関する。
【背景技術】
【０００２】
近年、ＯＦＤＭ(Orthogonal Frequency Division Multiplexing)方式を用いたマルチキャリア通信装置が、マルチパスやフェージングに強く高品質通信が可能なため、高速無線伝送を実現できる装置として注目されている。さらにマルチキャリア通信に、モジュレーションダイバーシチ変調／復調または単にモジュレーションダイバーシチ（modulation diversity）と呼ばれる技術を適用することにより、さらに通信品質を向上させることが提案されている（例えば非特許文献１参照）。
【非特許文献１】3GPP TSG RAN WG1 #31 R1-030156 “Modulation diversity for OFDM”
【発明の開示】
【発明が解決しようとする課題】
【０００３】
しかしながら、ターボ符号化等の誤り訂正符号化処理を施した送信データにモジュレーションダイバーシチ変調処理（「Ｍｏｄ  Ｄｉｖ」と表記することがある）を施す従来の無線通信システムでは、伝搬路環境が悪く受信信号の受信品質例えば受信ＳＮＲ（Signal-to-Noise Ratio）が低い場合には、送信側の無線通信装置において送信データにモジュレーションダイバーシチ変調処理を施すことにより、受信側の無線通信装置において誤り訂正能力が却って低下することがある、という問題がある。
【０００４】
よって、本発明の目的は、伝搬路環境が悪く受信信号の受信品質が低い場合でも、受信側の無線通信装置における誤り訂正能力の低下を抑制する送信側の無線通信装置及び無線通信方法を提供することである。
【課題を解決するための手段】
【０００５】
本発明に係る無線通信装置は、送信データを誤り訂正符号化する符号化手段と、誤り訂正符号化された送信データを所定の方式で変調して変調信号を生成する変調手段と、生成した変調信号からモジュレーションダイバーシチ変調信号を生成するモジュレーションダイバーシチ変調手段と、前記変調信号又は前記モジュレーションダイバーシチ変調信号のいずれか一方から送信信号を生成し、生成した送信信号を無線送信する送信手段と、無線送信された前記送信信号の伝搬路環境に応じて、前記送信手段において前記送信信号が前記変調信号又は前記モジュレーションダイバーシチ変調信号のどちらから生成されるか決定する決定手段と、を具備する構成を採る。
【発明の効果】
【０００６】
本発明によれば、無線送信される送信信号の伝搬路環境に応じて、その送信信号が変調信号から生成されるか又はモジュレーションダイバーシチ変調信号から生成されるかが決定されるため、伝搬路環境が悪く受信信号（無線送信された送信信号）の受信品質が低い場合でも、受信側の無線通信装置における誤り訂正能力が低下することを抑制することができる。
【０００７】
また、本発明によれば、無線送信された送信信号の伝搬路環境に応じて、送信データを変調して変調信号を生成する際の変調方式と、送信信号が変調信号から生成されるか又はモジュレーションダイバーシチ変調信号から生成されるかと、が決定されるため、現在の
伝搬路環境に最適の変調方式が選択されて送信信号の伝送速度が最も速くなるとともに、受信側の無線通信装置における誤り訂正能力の低下を効果的に抑制することができる。
【発明を実施するための最良の形態】
【０００８】
以下、本発明の一実施の形態について、図を参照しつつ詳細に説明する。
【０００９】
先ず、モジュレーションダイバーシチ変調／復調について、図６を用いて簡単に説明する。図６に示す例では、送信データをＱＰＳＫ(Quadrature Phase Shift Keying)で変調する。送信側の無線通信装置は、図６上段に示すように、先ずＩＱ平面にマッピングされたシンボルの位相を所定角度だけ回転させる。次に送信側の無線通信装置は、Ｉｃｈ、Ｑｃｈ用の別々の一様又はランダムインターリーバを用いて、Ｉｃｈ成分、Ｑｃｈ成分をインターリーブする。これにより逆高速フーリエ変換（Inverse Fast Fourier Transform：ＩＦＦＴ）後の信号は、図６中段に示すように、インターリーブ前のシンボルのＩｃｈ成分とＱｃｈ成分が異なるサブキャリアに割り当てられたものとなる。図６中段の場合には、Ｉｃｈ成分がサブキャリアＢに割り当てられ、Ｑｃｈ成分がサブキャリアＡに割り当てられている。
【００１０】
一方で、受信側の無線通信装置は、先ず高速フーリエ変換（ＦＦＴ）を行うことにより、サブキャリアに重畳されたＩｃｈ成分及びＱｃｈ成分を抽出する。次にデインターリーブを行うことにより、Ｉｃｈ、Ｑｃｈを元の配列に戻す。そして元に戻したＩｃｈ及びＱｃｈのコンスタレーションに基づいてデマッピング処理を行うことにより、受信データを得る。
【００１１】
ここでサブキャリアＡは回線状態が良く、サブキャリアＢは回線状態が悪いとすると、図６下段に示すように、Ｑｃｈ方向に引っ張られたコンスタレーションとなる。これにより、コンスタレーションでの信号点距離を比較的遠くに保つことができるようになるので、デマッピングの際にパケット内のビットを平均的に正しく復元できるようになる。このように、モジュレーションダイバーシチ変調／復調は、マルチパスフェージングによって各サブキャリアにフェージング変動が生じた場合でも、サブキャリア方向に受信ＳＮＲ（Signal-to-Noise Ratio）を分散させて補正を行うのと同様の効果を得ることができる。この結果、変調シンボルが恰もＡＷＧＮ(Additive White Gaussian Noise)通信路を伝送したかのような変動を受けるようになるので、ダイバーシチゲインを得ることができる。
【００１２】
図１は、本発明の一実施の形態に係る無線通信装置１００の主要な構成を示すブロック図である。無線通信装置１００は、モジュレーションダイバーシチ変調信号からなる送信信号を無線送信する無線通信装置であって、ターボ符号化部１１１、決定部１１２、変調部１１３、切替部１１４、モジュレーションダイバーシチ変調部１２０、Ｓ／Ｐ部１３３、ＩＦＦＴ部１３４、無線送信部１３５及びアンテナ１３６を具備する。また、モジュレーションダイバーシチ変調部１２０は、位相回転部１２１、ＩＱ分離部１２２、インターリーバ１２３及びＩＱ合成部１２４を具備する。
【００１３】
ターボ符号化部１１１は、現在の伝搬路環境に応じて決定部１１２が決定した所定の符号化率となるように、図示しないデータ生成部から入力される送信データにターボ符号化処理を施し、ターボ符号化処理後の送信データを変調部１１３に入力する。
【００１４】
決定部１１２は、現在の伝搬路環境を示す受信ＳＮＲを入力され、その受信ＳＮＲの大きさに応じて、送信データを誤り訂正符号化処理する際の符号化率と、誤り訂正符号化処理された送信データを変調する変調方式と、変調信号にモジュレーションダイバーシチ変調処理を施すか否かと、を決定する。そして、決定部１１２は、決定した符号化率と変調方式とをそれぞれターボ符号化部１１１と変調部１１３とに通知するとともに、変調信号の入力先を切替部１１４に指示する。なお、決定部１１２に入力される受信ＳＮＲは、図示しない相手側の無線通信装置によって測定され、その相手側の無線通信装置からフィードバック情報として返送されたものとする。従って、無線通信装置１００は、このフィードバック情報を含む無線信号をアンテナ１３６を介して受信する図示しない無線受信部を具備するものとする。また、決定部１１２の動作については後述する。
【００１５】
変調部１１３は、ターボ符号化部１１１から入力される送信データを、決定部１１２から通知された変調方式例えばＢＰＳＫ(Binariphase Phase Shift Keying)、ＱＰＳＫ(Quadrature Phase Shift Keying)又は１６ＱＡＭ(Quadrature Amplitude Modulation)等で変調することにより、その送信データをＩＱ平面にマッピングした変調信号を生成する。そして、変調部１１３は、生成した変調信号を切替部１１４に入力する。
【００１６】
切替部１１４は、決定部１１２からの指示に従い、変調部１１３から入力される変調信号をモジュレーションダイバーシチ変調部１２０又はＳ／Ｐ部１３３のいずれか一方に入力する。
【００１７】
モジュレーションダイバーシチ変調部１２０において、位相回転部１２１は、切替部１１４から入力される変調信号のシンボルを、図６上段に示すように、所定角度だけ位相回転させる。位相が回転されたシンボルは、ＩＱ分離部１２２によってＩｃｈ成分とＱｃｈ成分に分離され、Ｉｃｈ成分又はＱｃｈ成分の一方がインターリーバ１２３に送出されると共に他方がＩＱ合成部１２４に送出される。インターリーバ１２３によって予め決められたインターリーブパターンでインターリーブされたＩｃｈ成分又はＱｃｈ成分は、ＩＱ合成部１２４に送出される。そして、ＩＱ合成部１２４が、Ｉｃｈ成分とＱｃｈ成分を合成することによりコンスタレーションに戻す。このような一連のモジュレーションダイバーシチ変調処理により、モジュレーションダイバーシチ変調部１２０は、モジュレーションダイバーシチ変調信号を生成する。そして、モジュレーションダイバーシチ変調部１２０は、生成したモジュレーションダイバーシチ変調信号をＳ／Ｐ部１３３に入力する。
【００１８】
Ｓ／Ｐ部１３３は、切替部１１４から入力される変調信号又はモジュレーションダイバーシチ変調部１２０から入力されるモジュレーションダイバーシチ変調信号のいずれか一方をシリアル信号からパラレル信号に変換し、そのパラレル信号をＩＦＦＴ部１３４に入力する。
【００１９】
ＩＦＦＴ部１３４は、Ｓ／Ｐ部１３３から入力されるパラレル信号に公知のＩＦＦＴ処理を施してＯＦＤＭ信号を生成し、生成したＯＦＤＭ信号を無線送信部１３５に入力する。なお、ＩＦＦＴ部１３４は、ＯＦＤＭ信号を生成する際に、図６中段に示すように、ＩｃｈとＱｃｈとをそれぞれ異なるサブキャリアに割り当てる。
【００２０】
無線送信部１３５は、ＩＦＦＴ部１３４から入力されるＯＦＤＭ信号にガードインターバルを挿入し、さらに周波数変換処理及び増幅処理等を施した後、それらの一連の無線送信処理を施したＯＦＤＭ信号をアンテナ１３６を介して図示しない相手側の無線通信装置
に向けて無線送信する。
【００２１】
従って、本実施の形態では、本発明の発明特定事項である「送信手段」は、Ｓ／Ｐ部１３３、ＩＦＦＴ部１３４及び無線送信部１３５を含んで構成されることになる。
【００２２】
次いで、本実施の形態における無線通信装置１００の主要な動作即ち本発明に係る無線通信方法における一連の信号処理の流れを、図２を用いて説明する。
【００２３】
先ず、ステップＳＴ２１０では、決定部１１２が、入力された受信ＳＮＲの大きさに応じて、ターボ符号化部１１１において送信データをターボ符号化処理する際の符号化率と、変調部１１３においてターボ符号化処理された送信データを変調する変調方式と、モジュレーションダイバーシチ変調部１２０において変調信号にモジュレーションダイバーシチ変調処理を施すか否かと、を決定する。ここで、本実施の形態では、決定部１１２は、下記「表１」に従った決定を行うものとする。そして、ステップＳＴ２１０では、決定部１１２は、決定した所定の符号化率をターボ符号化部１１１に、また決定した変調方式を変調部１１３に通知するとともに、変調信号に「Ｍｏｄ  Ｄｉｖする」と決定したときには、切替部１１４に対して変調信号の入力先をモジュレーションダイバーシチ変調部１２０とするように指示し、一方で変調信号に「Ｍｏｄ  Ｄｉｖしない」と決定したときには、切替部１１４に対して変調信号の入力先をＳ／Ｐ部１３３とするように指示する。
【００２４】
【表１】
0004841440.tif 000002
【００２５】
続いて、ステップＳＴ２２０では、ターボ符号化部１１１が、ステップＳＴ２１０で決定部１１２の決定した所定の符号化率で送信データをターボ符号化処理する。
【００２６】
続いて、ステップＳＴ２３０では、変調部１１３が、ステップＳＴ２１０で決定部１１２の決定した変調方式でターボ符号化処理された送信データを変調して変調信号を生成する。
【００２７】
続いて、ステップＳＴ２４０では、切替部１１４が、ステップＳＴ２１０での決定部１１２の指示に従い、変調信号にＭｏｄ  Ｄｉｖするときには、変調信号をモジュレーションダイバーシチ変調部１２０に入力し、一方で変調信号にＭｏｄ  Ｄｉｖしないときには、変調信号をＳ／Ｐ部１３３に入力する。従って、ステップＳＴ２１０において決定部１１２が変調信号にＭｏｄ  Ｄｉｖすると決定したときには、ステップＳＴ２４０に続いてステップＳＴ２６０が実行され、一方でステップＳＴ２１０において決定部１１２が変調信号にＭｏｄ  Ｄｉｖしないと決定したときには、ステップＳＴ２４０に続いてステップＳＴ２５０が実行されることになる。
【００２８】
続いて、ステップＳＴ２５０では、Ｓ／Ｐ部１３３及びＩＦＦＴ部１３４が、変調信号から送信信号を生成する。
【００２９】
一方で、ステップＳＴ２６０では、モジュレーションダイバーシチ変調部１２０が、変調信号からモジュレーションダイバーシチ変調信号を生成する。
【００３０】
続いて、ステップＳＴ２７０では、Ｓ／Ｐ部１３３及びＩＦＦＴ部１３４が、モジュレーションダイバーシチ変調信号から送信信号を生成する。
【００３１】
続いて、ステップＳＴ２８０では、無線送信部１３５が、変調信号又はモジュレーションダイバーシチ変調信号のいずれか一方から生成された送信信号を、図示しない相手側の無線通信装置に向けて無線送信する。
【００３２】
図３は、決定部１１２の動作を説明する図である。本実施の形態では、決定部１１２は、図３に示すように、入力される受信ＳＮＲが−１０ｄＢ以上−２ｄＢ未満のときには、所定の符号化率でターボ符号化処理された送信データをＢＰＳＫで変調して変調信号を生成するように変調部１１３に通知し、かつ、その生成された変調信号をモジュレーションダイバーシチ変調部１２０に入力するように切替部１１４に通知する。従って、本実施の形態では、受信ＳＮＲが低い場合には、変調部１１３において送信データがＢＰＳＫで変調され、かつ、Ｓ／Ｐ部１３３等の送信手段において常にモジュレーションダイバーシチ変調処理された変調信号から送信信号が生成されることになる。
【００３３】
また、本実施の形態では、決定部１１２は、図３に示すように、入力される受信ＳＮＲが−２ｄＢ以上２ｄＢ未満のときには、ターボ符号化処理された送信データをＱＰＳＫで変調して変調信号を生成するように変調部１１３に通知し、かつ、その生成された変調信号をＳ／Ｐ部１３３に入力するように切替部１１４に通知する。
【００３４】
また、本実施の形態では、決定部１１２は、図３に示すように、入力される受信ＳＮＲが２ｄＢ以上６ｄＢ未満のときには、ターボ符号化処理された送信データをＱＰＳＫで変調して変調信号を生成するように変調部１１３に通知し、かつ、その生成された変調信号をモジュレーションダイバーシチ変調部１２０に入力するように切替部１１４に通知する。
【００３５】
また、本実施の形態では、決定部１１２は、図３に示すように、入力される受信ＳＮＲが６ｄＢ以上１０ｄＢ未満のときには、ターボ符号化処理された送信データを１６ＱＡＭで変調して変調信号を生成するように変調部１１３に通知し、かつ、その生成された変調信号をＳ／Ｐ部１３３に入力するように切替部１１４に通知する。
【００３６】
また、本実施の形態では、決定部１１２は、図３に示すように、入力される受信ＳＮＲが１０ｄＢ以上のときには、ターボ符号化処理された送信データを１６ＱＡＭで変調して変調信号を生成するように変調部１１３に通知し、かつ、その生成された変調信号をモジュレーションダイバーシチ変調部１２０に入力するように切替部１１４に通知する。
【００３７】
このように、本実施の形態によれば、決定部１１２が、入力される受信ＳＮＲの大きさに応じて、変調信号を生成する際の変調方式と、送信信号を生成する際のモジュレーションダイバーシチ変調処理の要否と、をそれぞれ決定するため、現在の伝搬路環境に最適の変調方式が選択されて送信信号の伝送速度が速くなるとともに、モジュレーションダイバーシチ変調処理を行うことによって相手側の無線通信装置における誤り訂正能力が低下してしまうことを効果的に防止することができる。
【００３８】
なお、本発明の一実施の形態における無線通信装置１００について、以下のように応用したり、変形したりしても良い。
【００３９】
本発明の一実施の形態では、ターボ符号化部１１１において、送信データにターボ符号化処理を施す場合について説明したが、本発明はこの場合に限定されるものではなく、例えば無線通信装置１００は送信データに他の誤り訂正符号化処理例えば畳み込み符号化処理を施しても良い。
【００４０】
また、本発明の一実施の形態では、決定部１１２に入力される受信ＳＮＲが、図示しない相手側の無線通信装置によって測定され、かつ、フィードバック情報として返送されたものである場合について説明したが、本発明はこの場合に限定されるものではなく、例えば決定部１１２に入力される受信ＳＮＲは、無線通信装置１００が受信したパイロット信号に基づいて測定したものであっても良い。このようにすれば、相手側の無線通信装置は、無線通信装置１００にフィードバック情報を返信する必要がなくなるため、フィードバック情報を生成するための信号処理量を削減できるとともに、フィードバック情報の代わりに通信データを送信できるようになることから、伝送速度を向上させることができる。
【００４１】
また、本発明の一実施の形態では、決定部１１２が、入力される受信ＳＮＲの大きさに応じて、変調部１１３における変調方式を決定する場合について説明したが、本発明はこの場合に限定されるものではなく、例えばターボ符号化部１１１における符号化率と変調部１１３における変調方式とが予め固定されていても良い。このようにすれば、決定部１１２からターボ符号化部１１１と変調部１１３とへの通知が不要になるため、無線通信装置１００における内部トラフィックを削減することができる。
【００４２】
また、本発明は、例えば変調部１１３における１つの変調方式にターボ符号化部１１１における複数の符号化率が対応するようにしても良い。具体的には、図４に示すように、決定部１１２に入力される受信ＳＮＲの低い方から順に、変調方式としてＢＰＳＫ、ＱＰＳＫ及び１６ＱＡＭが割り当てられ、さらに各変調方式において３つの符号化率Ｒ＝１／３、１／２、３／４が順に対応するようにしても良い。このような場合には、決定部１１２は、入力される受信ＳＮＲの大きさに応じて、変調部１１３において送信データを変調する変調方式とターボ符号化部１１１において送信データを誤り訂正符号化処理する際の符号化率とを決定し、決定した変調方式と符号化率とに応じて、Ｓ／Ｐ部１３３等において送信信号が変調信号又はモジュレーションダイバーシチ変調信号のどちらから生成されるかを決定する、ことになる。
【００４３】
また、本実施の形態では、決定部１１２が、入力される受信ＳＮＲについて２ｄＢと１０ｄＢとを閾値として、ＱＰＳＫと１６ＱＡＭとにおけるモジュレーションダイバーシチ変調処理の要否を決定する場合について説明したが、本発明はこの場合に限定されるものではなく、例えば決定部１１２が、フィードバック情報として受信ＳＮＲとともに受信電力の変動情報を取得し、その受信電力の変動情報に基づいて、受信電力の変動を監視し、受信電力の変動が大きくなったときには、ＱＰＳＫ又は１６ＱＡＭにおける閾値を高く即ち２ｄＢ又は１０ｄＢよりも大きくし、一方でその受信電力の変動が小さくなったときには、ＱＰＳＫ又は１６ＱＡＭにおける閾値を低く即ち２ｄＢ又は１０ｄＢよりも小さくするようにしても良い。具体的には、図５に示すように、決定部１１２が、フィードバック情報に基づいてサブキャリア毎の受信電力を監視し、サブキャリア間の受信電力の差が小さくなったときには（図５上段）、ＱＰＳＫにおける閾値を２ｄＢから１ｄＢに下げ、一方でサブキャリア間の受信電力の差が大きくなったときには（図５下段）、ＱＰＳＫにおける閾値を２ｄＢから４ｄＢに引き上げる、ようにする。
【００４４】
また、本実施の形態では、決定部１１２に入力される受信ＳＮＲについて、２ｄＢと１０ｄＢとをモジュレーションダイバーシチ変調処理の要否を決定する際の閾値とする場合について説明したが、本発明はこの場合に限定されるものではなく、その受信ＳＮＲについての閾値は、伝搬路環境や無線通信システムにおける要求受信品質等に応じて、適宜設定するようにしてもよい。
【００４５】
以上、本発明の一実施の形態について説明した。
【００４６】
本発明に係る無線通信装置および無線通信方法は、上記実施の形態に限定されず、種々変更して実施することが可能である。
【００４７】
本発明に係る無線通信装置は、ＯＦＤＭ方式等を採用した移動体通信システムにおける通信端末装置および基地局装置に搭載することが可能であり、これにより上記と同様の作用効果を有する通信端末装置、基地局装置、および移動体通信システムを提供することができる。
【００４８】
なお、ここでは、本発明をハードウェアで構成する場合を例にとって説明したが、本発明をソフトウェアで実現することも可能である。例えば、本発明に係る無線通信方法のアルゴリズムをプログラミング言語によって記述し、このプログラムをメモリに記憶しておいて情報処理手段によって実行させることにより、本発明に係る無線通信装置と同様の機能を実現することができる。
【００４９】
また、上記各実施の形態の説明に用いた各機能ブロックは、典型的には集積回路であるＬＳＩとして実現される。これらは個別に１チップ化されても良いし、一部又は全てを含むように１チップ化されても良い。
【００５０】
ここでは、ＬＳＩとしたが、集積度の違いにより、ＩＣ、システムＬＳＩ、スーパーＬＳＩ、ウルトラＬＳＩと呼称されることもある。
【００５１】
また、集積回路化の手法はＬＳＩに限るものではなく、専用回路又は汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用しても良い。
【００５２】
さらには、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてありえる。
【００５３】
本明細書は、２００５年１月２１日出願の特願２００５−０１４７７１に基づく。この内容はすべてここに含めておく。
【産業上の利用可能性】
【００５４】
本発明に係る無線通信装置及び無線通信方法は、伝搬路環境が悪く受信信号の受信品質が低い場合でも、受信側の無線通信装置における誤り訂正能力の低下を抑制することができるという効果を有し、マルチキャリア信号を用いる高速無線通信システム等に有用である。
【図面の簡単な説明】
【００５５】
【図１】本発明の一実施の形態に係る無線通信装置の主要な構成を示すブロック図
【図２】本発明の一実施の形態に係る無線通信方法における一連の信号処理を示すフロー図
【図３】本発明の一実施の形態における決定部の動作を説明する図
【図４】本発明の一実施の形態の応用例を説明する図
【図５】本発明の一実施の形態の応用例を説明する図
【図６】モジュレーションダイバーシチ変調／復調の概要を説明する図
【図１】
0004841440.tif 000003
【図２】
0004841440.tif 000004
【図３】
0004841440.tif 000005
【図４】
0004841440.tif 000006
【図５】
0004841440.tif 000007
【図６】
0004841440.tif 000008